(57)【要約】  【課題】複数の遊技場についての遊技者数を集計するにあたり、遊技場の係員による入力作業の手間を軽減できると共に、各遊技場において当該遊技場以外の他の遊技場についての遊技者数や稼働率を視認可能に出力するために新規のシステムを構築する必要がない遊技用システムを提供する。  【解決手段】カードユニット２０における売上を場内管理装置３０にて管理すると共に、複数の遊技場における売上を集中管理装置４０にて各遊技場毎に管理する遊技用システム１において、カードユニット２０に入力される打込玉信号に基づいて場内管理装置にて遊技者数を自動的に集計し、該集計した遊技者数を集中管理装置にて各遊技場毎に管理し、設定条件を満たす他の遊技場についての遊技者数を含む他店遊技者数情報を集中管理装置にて作成して各遊技場に対して配信し、該配信されてきた他店遊技者数情報を各遊技場にて表示する。【選択図】        図１
2005131089.tif 000002
【特許請求の範囲】
【請求項１】
遊技機に対応して設けられ、遊技者の所有する有価価値の大きさの範囲内における所定の大きさの有価価値に相当する遊技媒体を貸与するための貸与処理を行い、該貸与処理に使用される有価価値の大きさである売上を特定可能な遊技用装置売上情報を外部に出力する遊技用装置と、
遊技場に設けられ、複数の前記遊技用装置と通信可能であり、該遊技用装置より出力された遊技用装置売上情報から特定される売上を管理し、該管理している売上を特定可能な遊技場売上情報を遊技場外部に送信する場内管理装置と、
遊技場外に設置される第三者管理機関に設けられ、複数の遊技場に設けられる前記場内管理装置と通信可能であり、該場内管理装置より受信した遊技場売上情報から特定される売上を各遊技場毎に管理する集中管理装置と、
を含む遊技用システムであって、
前記遊技用装置は、前記対応する遊技機において遊技者が遊技を行っているか否かを示す稼働情報を前記場内管理装置に対して出力する稼働情報出力手段を備え、
前記場内管理装置は、
該稼働情報出力手段より出力された稼働情報を収集する稼働情報収集手段と、
該稼働情報収集手段により収集した稼働情報に基づいて、当該遊技場において遊技を行った遊技者数を集計する遊技者数集計手段と、
該遊技者数集計手段により集計した遊技者数を特定可能な遊技者数情報を前記集中管理装置に対して送信する遊技者数情報送信手段と、を備え、
前記集中管理装置は、
該遊技者数情報送信手段より受信した遊技者数情報から特定される遊技者数を各遊技場毎に記憶する遊技者数記憶手段と、
各遊技場毎に、当該遊技場以外の他の遊技場についての遊技者数を含む他店遊技者数情報を作成するときに該他店遊技者数情報に遊技者数を含める前記他の遊技場の条件を記憶する条件記憶手段と、
前記遊技者数記憶手段により各遊技場毎に記憶されている遊技者数に基づいて、前記条件記憶手段に記憶された条件を満たす他の遊技場についての遊技者数を含む前記他店遊技者数情報を各遊技場毎に作成する他店遊技者数情報作成手段と、
該他店遊技者数情報作成手段により作成した他店遊技者数情報を各遊技場に対して配信する他店遊技者数情報配信手段と、を備え、
前記場内管理装置は、該他店遊技者数情報配信手段より受信した他店遊技者数情報に含まれる各遊技場についての遊技者数を視認可能に出力する出力手段をさらに備えることを特徴とする遊技用システム。
【請求項２】
請求項１に記載した遊技用システムであって、
前記遊技用装置は、会員登録を行った会員遊技者である旨を特定可能な情報が記録された会員用記録媒体を受け付ける会員用記録媒体受付手段をさらに備え、
前記稼働情報出力手段は、該会員用記録媒体受付手段により会員用記録媒体を受け付けたことに基づいて、前記対応する遊技機において会員遊技者が遊技を行っている旨を示す会員稼働情報を前記場内管理装置に対して出力し、
前記稼働情報収集手段は、該稼働情報出力手段より出力された会員稼働情報を収集し、
前記遊技者数集計手段は、該稼働情報収集手段により収集した会員稼働情報に基づいて、当該遊技場において遊技を行った会員遊技者数を集計し、
前記遊技者数情報送信手段は、該遊技者数集計手段により集計した会員遊技者数を特定可能な会員遊技者数情報を前記集中管理装置に対して送信し、
前記遊技者数記憶手段は、該遊技者数情報送信手段より受信した会員遊技者数情報から特定される会員遊技者数を各遊技場毎に記憶し、
前記他店遊技者数情報作成手段は、該遊技者数記憶手段により各遊技場毎に記憶されている会員遊技者数に基づいて、前記条件記憶手段に記憶された条件を満たす他の遊技場についての会員遊技者数をさらに含む前記他店遊技者数情報を各遊技場毎に作成し、
前記出力手段は、前記他店遊技者数情報配信手段より受信した他店遊技者数情報に含まれる各遊技場についての会員遊技者数を視認可能に出力することを特徴とする遊技用システム。
【請求項３】
請求項１又は２に記載した遊技用システムであって、
前記場内管理装置は、前記集中管理装置に対して前記他店遊技者数情報の配信要求を送信する配信要求送信手段をさらに備え、
前記他店遊技者数情報配信手段は、前記他店遊技者数情報作成手段により作成した他店遊技者数情報を各遊技場に対して定期的に配信すると共に、前記配信要求送信手段から前記配信要求を受信したときに、前記他店遊技者数情報作成手段により作成した他店遊技者数情報を該配信要求の送信元である遊技場に対して配信することを特徴とする遊技用システム。
【請求項４】
請求項１〜３のいずれか１つに記載した遊技用システムであって、
前記遊技者数情報送信手段は、前記遊技者数情報を所定時間毎に前記集中管理装置に対して送信し、
前記遊技者数記憶手段は、該遊技者数情報送信手段より受信した遊技者数情報から特定される遊技者数を前記所定時間毎かつ各遊技場毎に記憶し、
前記他店遊技者数情報作成手段は、該遊技者数記憶手段により前記所定時間毎かつ各遊技場毎に記憶されている遊技者数に基づいて、前記条件記憶手段に記憶された条件を満たす他の遊技場についての前記所定時間毎の遊技者数の推移をさらに含む前記他店遊技者数情報を各遊技場毎に作成し、
前記出力手段は、前記他店遊技者数情報配信手段より受信した他店遊技者数情報に含まれる各遊技場についての前記所定時間毎の遊技者数の推移を視認可能に出力することを特徴とする遊技用システム。
【請求項５】
遊技機に対応して設けられ、遊技者の所有する有価価値の大きさの範囲内における所定の大きさの有価価値に相当する遊技媒体を貸与するための貸与処理を行い、該貸与処理に使用される有価価値の大きさである売上を特定可能な遊技用装置売上情報を外部に出力する遊技用装置と、
遊技場に設けられ、複数の前記遊技用装置と通信可能であり、該遊技用装置より出力された遊技用装置売上情報から特定される売上を管理し、該管理している売上を特定可能な遊技場売上情報を遊技場外部に送信する場内管理装置と、
遊技場外に設置される第三者管理機関に設けられ、複数の遊技場に設けられる前記場内管理装置と通信可能であり、該場内管理装置より受信した遊技場売上情報から特定される売上を各遊技場毎に管理する集中管理装置と、
を含む遊技用システムであって、
前記遊技用装置は、前記対応する遊技機において遊技者が遊技を行っているか否かを示す稼働情報を前記場内管理装置に対して出力する稼働情報出力手段を備え、
前記場内管理装置は、
該稼働情報出力手段より出力された稼働情報を収集する稼働情報収集手段と、
該稼働情報収集手段により収集した稼働情報に基づいて、当該遊技場において遊技を行った遊技者数を集計する遊技者数集計手段と、
当該遊技場に設置されている遊技機の設置台数を記憶する設置台数記憶手段と、
該設置台数記憶手段に記憶されている遊技機の設置台数に対する前記遊技者数集計手段により集計された遊技者数の割合を示す稼働率を算出する稼働率算出手段と、
該稼働率算出手段により算出した稼働率を特定可能な稼働率情報を前記集中管理装置に対して送信する稼働率情報送信手段と、を備え、
前記集中管理装置は、
該稼働率情報送信手段より受信した稼働率情報から特定される稼働率を各遊技場毎に記憶する稼働率記憶手段と、
各遊技場毎に、当該遊技場以外の他の遊技場についての稼働率を含む他店稼働率情報を作成するときに該他店稼働率情報に稼働率を含める前記他の遊技場の条件を記憶する条件記憶手段と、
前記稼働率記憶手段により各遊技場毎に記憶されている稼働率に基づいて、前記条件記憶手段に記憶された条件を満たす他の遊技場についての稼働率を含む前記他店稼働率情報を各遊技場毎に作成する他店稼働率情報作成手段と、
該他店稼働率情報作成手段により作成した他店稼働率情報を各遊技場に対して配信する他店稼働率情報配信手段と、を備え、
前記場内管理装置は、該他店稼働率情報配信手段より受信した他店稼働率情報に含まれる各遊技場についての稼働率を視認可能に出力する出力手段をさらに備えることを特徴とする遊技用システム。
【請求項６】
請求項５に記載した遊技用システムであって、
前記場内管理装置は、前記集中管理装置に対して前記他店稼働率情報の配信要求を送信する配信要求送信手段をさらに備え、
前記他店稼働率情報配信手段は、前記他店稼働率情報作成手段により作成した他店稼働率情報を各遊技場に対して定期的に配信すると共に、前記配信要求送信手段から前記配信要求を受信したときに、前記他店稼働率情報作成手段により作成した他店稼働率情報を該配信要求の送信元である遊技場に対して配信することを特徴とする遊技用システム。
【請求項７】
請求項５又は６に記載した遊技用システムであって、
前記稼働率情報送信手段は、前記稼働率情報を所定時間毎に前記集中管理装置に対して送信し、
前記稼働率記憶手段は、該稼働率情報送信手段より受信した稼働率情報から特定される稼働率を前記所定時間毎かつ各遊技場毎に記憶し、
前記他店稼働率情報作成手段は、該稼働率記憶手段により前記所定時間毎かつ各遊技場毎に記憶されている稼働率に基づいて、前記条件記憶手段に記憶された条件を満たす他の遊技場についての前記所定時間毎の稼働率の推移をさらに含む前記他店稼働率情報を各遊技場毎に作成し、
前記出力手段は、前記他店稼働率情報配信手段より受信した他店稼働率情報に含まれる各遊技場についての前記所定時間毎の稼働率の推移を視認可能に出力することを特徴とする遊技用システム。
【請求項８】
請求項１〜７のいずれか１つに記載した遊技用システムであって、
前記遊技用装置は、前記対応する遊技機において遊技者が遊技を行うことにより発生する稼働状況情報を入力する稼働状況情報入力手段をさらに備え、
前記稼働情報出力手段は、該稼働状況情報入力手段に入力された稼働状況情報に基づいて前記稼働情報を前記場内管理装置に対して出力することを特徴とする遊技用システム。
【請求項９】
請求項１〜８のいずれか１つに記載した遊技用システムであって、
前記場内管理装置は、当該遊技場において催事を実施しているか否かを特定可能な催事情報を前記集中管理装置に対して送信する催事情報送信手段をさらに備え、
前記集中管理装置は、該催事情報送信手段から受信した催事情報を各遊技場毎に記憶する催事情報記憶手段をさらに備え、
前記他店遊技者数情報作成手段又は前記他店稼働率情報作成手段は、該催事情報記憶手段の記憶内容に基づいて、前記条件記憶手段に記憶された条件を満たす他の遊技場が催事を実施しているか否かを示す情報をさらに含む前記他店遊技者数情報又は前記他店稼働率情報を各遊技場毎に作成することを特徴とする遊技用システム。
【請求項１０】
請求項９に記載した遊技用システムであって、
前記集中管理装置は、前記催事情報の提供の有無を各遊技場毎に記憶する催事情報提供有無記憶手段をさらに備え、
前記他店遊技者数情報作成手段又は前記他店稼働率情報作成手段は、該催事情報提供有無記憶手段の記憶内容に基づいて、前記催事情報の提供が有る遊技場に配信するための他店遊技者数情報又は他店稼働率情報には、前記催事情報の提供が無い遊技場に配信するための他店遊技者数情報又は他店稼働率情報よりも、催事に関してより詳細な情報を含めて、該他店遊技者数情報又は該他店稼働率情報を作成することを特徴とする遊技用システム。
【発明の詳細な説明】
【技術分野】
【０００１】
本発明は、遊技機において遊技を行った遊技者数や、遊技機の設置台数に対する遊技者数の割合を示す稼働率を視認可能に出力するための遊技用システムに係り、特に各遊技場において当該遊技場以外の他の遊技場についての遊技者数や稼働率を視認可能に出力するための遊技用システムに関する。
【背景技術】
【０００２】
従来より、特許文献１に示すように、遊技場の係員等が携帯端末装置を操作して所定の集計時間について集計した遊技者数を入力すると、該入力された遊技者数が遊技場外の管理サーバに対して送信され、該管理サーバにおいて、遊技者数が各遊技場毎に集計されると共に、該集計された遊技者数に基づいて稼働率が各遊技場毎に算出されて、該算出された稼働率が各遊技場に対して送信され、各遊技場において稼働率が表示される遊技用システムが知られている。ここで表示される情報は、様々な観点から分析されて、遊技場の経営戦略を立てるのに用いられる。
【０００３】
また、特許文献２に示すように、パチンコ機に対応して設けられるカードユニットにおいてパチンコ玉の貸与処理に使用された売上を特定可能な情報をシステムコントローラに対して出力し、遊技場に設けられる該システムコントローラにおいて売上を管理すると共に遊技場の売上を特定可能な情報を管理サーバに対して送信し、カード会社に設けられる該管理サーバにおいて売上を各遊技場毎に管理する遊技用システムも知られており、かかる遊技用システムは既に実用化されて多数の遊技場に導入されている。これによれば、各遊技場の売上が第三者管理されることにより、該売上をごまかすことによる脱税を防止できる。
【０００４】
【特許文献１】特開２００２−２６３３３１号公報（第２頁，図１）
【特許文献２】特開２００３−１９０６１０号公報（図１，図２）
【発明の開示】
【発明が解決しようとする課題】
【０００５】
しかしながら、特許文献１に示す遊技用システムでは、遊技場の係員等が携帯端末装置を操作して所定の集計時間について集計した遊技者数を入力する必要があるため、遊技場の係員の手間がかかると共に、特に複数の遊技場についての遊技者数を集計するためには該複数の遊技場の各々に対して遊技場の係員を派遣する必要があるため、該遊技場の係員の派遣コストが過大であるという問題がある。
【０００６】
ここで、遊技場から遊技場外の管理サーバに対して、遊技機において遊技者が遊技を行っているか否かを示す稼働情報を自動的に送信し、管理サーバにおいて、該送信されてきた稼働情報に基づいて遊技者数を各遊技場毎に集計すると共に稼働率を各遊技場毎に算出し、各遊技場が希望する他の遊技場についての遊技者数や稼働率を含む情報を作成して、管理サーバから当該遊技場に対して該作成された情報を送信し、当該遊技場において該送信されてきた情報に基づいて各遊技場についての遊技者数や稼働率を視認可能に出力するようにすれば、上記問題点は解消されるが、管理サーバを設置すると共に、該管理サーバに対して稼働情報を送信可能なホールコンピュータ等を各遊技場に設置して、新規のシステムを構築する必要があるという問題がある。一方、特許文献２に示す遊技用システムのように、各遊技場の売上を第三者管理するために遊技場と管理サーバとを通信可能とするシステムは、既に構築されて実用化されている。
【０００７】
本発明は、このような背景のもとになされたものであり、その目的は、複数の遊技場についての遊技者数を集計するにあたり、遊技場の係員による入力作業の手間を軽減できると共に、各遊技場において当該遊技場以外の他の遊技場についての遊技者数や稼働率を視認可能に出力するために新規のシステムを構築する必要がない遊技用システムを提供することにある。
【課題を解決するための手段】
【０００８】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００９】
まず請求項１に係る発明は、遊技機（パチンコ機１０）に対応して設けられ、遊技者の所有する有価価値の大きさ（残度数）の範囲内における所定の大きさの有価価値（玉貸設定度数）に相当する遊技媒体（パチンコ玉）を貸与するための貸与処理（玉貸処理）を行い、該貸与処理に使用される有価価値の大きさ（使用度数）である売上（売上金額）を特定可能な遊技用装置売上情報（ユニット売上信号）を外部に出力する遊技用装置（カードユニット２０）と、遊技場に設けられ、複数の前記遊技用装置と通信可能であり、該遊技用装置より出力された遊技用装置売上情報から特定される売上を管理し、該管理している売上を特定可能な遊技場売上情報を遊技場外部に送信する場内管理装置（３０）と、遊技場外に設置される第三者管理機関に設けられ、複数の遊技場に設けられる前記場内管理装置と通信可能であり、該場内管理装置より受信した遊技場売上情報から特定される売上を各遊技場毎に管理する集中管理装置（４０）と、を含む遊技用システム（１）であって、前記遊技用装置は、前記対応する遊技機において遊技者が遊技を行っているか否かを示す稼働情報（遊技中信号）を前記場内管理装置に対して出力する稼働情報出力手段（場内管理装置用通信部２１ａ）を備え、前記場内管理装置は、該稼働情報出力手段より出力された稼働情報を収集する稼働情報収集手段（場内通信部３１ａ）と、該稼働情報収集手段により収集した稼働情報に基づいて、当該遊技場において遊技を行った遊技者数を集計する遊技者数集計手段（制御部３２）と、該遊技者数集計手段により集計した遊技者数を特定可能な遊技者数情報を前記集中管理装置に対して送信する遊技者数情報送信手段（場外通信部３１ｂ）と、を備え、前記集中管理装置は、該遊技者数情報送信手段より受信した遊技者数情報から特定される遊技者数を各遊技場毎に記憶する遊技者数記憶手段（ハードディスク４５）と、各遊技場毎に、当該遊技場以外の他の遊技場についての遊技者数を含む他店遊技者数情報を作成するときに該他店遊技者数情報に遊技者数を含める前記他の遊技場の条件を記憶する条件記憶手段（ハードディスク４５）と、前記遊技者数記憶手段により各遊技場毎に記憶されている遊技者数に基づいて、前記条件記憶手段に記憶された条件を満たす他の遊技場についての遊技者数を含む前記他店遊技者数情報を各遊技場毎に作成する他店遊技者数情報作成手段（制御部４２）と、該他店遊技者数情報作成手段により作成した他店遊技者数情報を各遊技場に対して配信する他店遊技者数情報配信手段（通信部４１）と、を備え、前記場内管理装置は、該他店遊技者数情報配信手段より受信した他店遊技者数情報に含まれる各遊技場についての遊技者数を視認可能に出力する出力手段（ディスプレイ３３）をさらに備えることを特徴とする遊技用システムである。
【００１０】
また請求項２に係る発明は、請求項１に記載した遊技用システム（１）であって、前記遊技用装置（カードユニット２０）は、会員登録を行った会員遊技者である旨を特定可能な情報（会員ＩＤ）が記録された会員用記録媒体（会員カード５）を受け付ける会員用記録媒体受付手段（会員カードＲ／Ｗ２４）をさらに備え、前記稼働情報出力手段（場内管理装置用通信部２１ａ）は、該会員用記録媒体受付手段により会員用記録媒体を受け付けたことに基づいて、前記対応する遊技機において会員遊技者が遊技を行っている旨を示す会員稼働情報（会員信号）を前記場内管理装置（３０）に対して出力し、前記稼働情報収集手段（場内通信部３１ａ）は、該稼働情報出力手段より出力された会員稼働情報を収集し、前記遊技者数集計手段（制御部３２）は、該稼働情報収集手段により収集した会員稼働情報に基づいて、当該遊技場において遊技を行った会員遊技者数を集計し、前記遊技者数情報送信手段（場外通信部３１ｂ）は、該遊技者数集計手段により集計した会員遊技者数を特定可能な会員遊技者数情報を前記集中管理装置（４０）に対して送信し、前記遊技者数記憶手段（ハードディスク４５）は、該遊技者数情報送信手段より受信した遊技者数情報から特定される会員遊技者数を各遊技場毎に記憶し、前記他店遊技者数情報作成手段（制御部４２）は、該遊技者数記憶手段により各遊技場毎に記憶されている会員遊技者数に基づいて、前記条件記憶手段（ハードディスク４５）に記憶された条件を満たす他の遊技場についての会員遊技者数をさらに含む前記他店遊技者数情報を各遊技場毎に作成し、前記出力手段（ディスプレイ３３）は、前記他店遊技者数情報配信手段（通信部４１）より受信した他店遊技者数情報に含まれる各遊技場についての会員遊技者数を視認可能に出力することを特徴とする遊技用システムである。
【００１１】
また請求項３に係る発明は、請求項１又は２に記載した遊技用システム（１）であって、前記場内管理装置（３０）は、前記集中管理装置（４０）に対して前記他店遊技者数情報の配信要求を送信する配信要求送信手段（場外通信部３１ｂ）をさらに備え、前記他店遊技者数情報配信手段（通信部４１）は、前記他店遊技者数情報作成手段（制御部４２）により作成した他店遊技者数情報を各遊技場に対して定期的に配信すると共に、前記配信要求送信手段から前記配信要求を受信したときに、前記他店遊技者数情報作成手段により作成した他店遊技者数情報を該配信要求の送信元である遊技場に対して配信することを特徴とする遊技用システムである。
【００１２】
また請求項４に係る発明は、請求項１〜３のいずれか１つに記載した遊技用システム（１）であって、前記遊技者数情報送信手段（場外通信部３１ｂ）は、前記遊技者数情報を所定時間毎に前記集中管理装置（４０）に対して送信し、前記遊技者数記憶手段（ハードディスク４５）は、該遊技者数情報送信手段より受信した遊技者数情報から特定される遊技者数を前記所定時間毎かつ各遊技場毎に記憶し、前記他店遊技者数情報作成手段（制御部４２）は、該遊技者数記憶手段により前記所定時間毎かつ各遊技場毎に記憶されている遊技者数に基づいて、前記条件記憶手段（ハードディスク４５）に記憶された条件を満たす他の遊技場についての前記所定時間毎の遊技者数の推移をさらに含む前記他店遊技者数情報を各遊技場毎に作成し、前記出力手段（ディスプレイ３３）は、前記他店遊技者数情報配信手段（通信部４１）より受信した他店遊技者数情報に含まれる各遊技場についての前記所定時間毎の遊技者数の推移を視認可能に出力することを特徴とする遊技用システムである。
【００１３】
また請求項６に係る発明は、遊技機（パチンコ機１０）に対応して設けられ、遊技者の所有する有価価値の大きさ（残度数）の範囲内における所定の大きさの有価価値（玉貸設定度数）に相当する遊技媒体（パチンコ玉）を貸与するための貸与処理（玉貸処理）を行い、該貸与処理に使用される有価価値の大きさ（使用度数）である売上（売上金額）を特定可能な遊技用装置売上情報（ユニット売上信号）を外部に出力する遊技用装置（カードユニット２０）と、遊技場に設けられ、複数の前記遊技用装置と通信可能であり、該遊技用装置より出力された遊技用装置売上情報から特定される売上を管理し、該管理している売上を特定可能な遊技場売上情報を遊技場外部に送信する場内管理装置（３０）と、遊技場外に設置される第三者管理機関に設けられ、複数の遊技場に設けられる前記場内管理装置と通信可能であり、該場内管理装置より受信した遊技場売上情報から特定される売上を各遊技場毎に管理する集中管理装置（４０）と、を含む遊技用システム（１）であって、前記遊技用装置は、前記対応する遊技機において遊技者が遊技を行っているか否かを示す稼働情報（遊技中信号）を前記場内管理装置に対して出力する稼働情報出力手段（場内管理装置用通信部２１ａ）を備え、前記場内管理装置は、該稼働情報出力手段より出力された稼働情報を収集する稼働情報収集手段（場内通信部３１ａ）と、該稼働情報収集手段により収集した稼働情報に基づいて、当該遊技場において遊技を行った遊技者数を集計する遊技者数集計手段（制御部３２）と、当該遊技場に設置されている遊技機の設置台数を記憶する設置台数記憶手段（ハードディスク３５）と、該設置台数記憶手段に記憶されている遊技機の設置台数に対する前記遊技者数集計手段により集計された遊技者数の割合を示す稼働率を算出する稼働率算出手段（制御部３２）と、該稼働率算出手段により算出した稼働率を特定可能な稼働率情報を前記集中管理装置に対して送信する稼働率情報送信手段（場外通信部３１ｂ）と、を備え、前記集中管理装置は、該稼働率情報送信手段より受信した稼働率情報から特定される稼働率を各遊技場毎に記憶する稼働率記憶手段（ハードディスク４５）と、各遊技場毎に、当該遊技場以外の他の遊技場についての稼働率を含む他店稼働率情報を作成するときに該他店稼働率情報に稼働率を含める前記他の遊技場の条件を記憶する条件記憶手段（ハードディスク４５）と、前記稼働率記憶手段により各遊技場毎に記憶されている稼働率に基づいて、前記条件記憶手段に記憶された条件を満たす他の遊技場についての稼働率を含む前記他店稼働率情報を各遊技場毎に作成する他店稼働率情報作成手段（制御部４２）と、該他店稼働率情報作成手段により作成した他店稼働率情報を各遊技場に対して配信する他店稼働率情報配信手段（通信部４１）と、を備え、前記場内管理装置は、該他店稼働率情報配信手段より受信した他店稼働率情報に含まれる各遊技場についての稼働率を視認可能に出力する出力手段（ディスプレイ３３）をさらに備えることを特徴とする遊技用システムである。
【００１４】
また請求項６に係る発明は、請求項５に記載した遊技用システム（１）であって、前記場内管理装置（３０）は、前記集中管理装置（４０）に対して前記他店稼働率情報の配信要求を送信する配信要求送信手段（場外通信部３１ｂ）をさらに備え、前記他店稼働率情報配信手段（通信部４１）は、前記他店稼働率情報作成手段（制御部４２）により作成した他店稼働率情報を各遊技場に対して定期的に配信すると共に、前記配信要求送信手段から前記配信要求を受信したときに、前記他店稼働率情報作成手段により作成した他店稼働率情報を該配信要求の送信元である遊技場に対して配信することを特徴とする遊技用システムである。
【００１５】
また請求項７に係る発明は、請求項５又は６に記載した遊技用システム（１）であって、前記稼働率情報送信手段（場外通信部３１ｂ）は、前記稼働率情報を所定時間毎に前記集中管理装置（４０）に対して送信し、前記稼働率記憶手段（ハードディスク４５）は、該稼働率情報送信手段より受信した稼働率情報から特定される稼働率を前記所定時間毎かつ各遊技場毎に記憶し、前記他店稼働率情報作成手段（制御部４２）は、該稼働率記憶手段により前記所定時間毎かつ各遊技場毎に記憶されている稼働率に基づいて、前記条件記憶手段（ハードディスク４５）に記憶された条件を満たす他の遊技場についての前記所定時間毎の稼働率の推移をさらに含む前記他店稼働率情報を各遊技場毎に作成し、前記出力手段（ディスプレイ３３）は、前記他店稼働率情報配信手段（通信部４１）より受信した他店稼働率情報に含まれる各遊技場についての前記所定時間毎の稼働率の推移を視認可能に出力することを特徴とする遊技用システムである。
【００１６】
また請求項８に係る発明は、請求項１〜７のいずれか１つに記載した遊技用システム（１）であって、前記遊技用装置（カードユニット２０）は、前記対応する遊技機（パチンコ機１０）において遊技者が遊技を行うことにより発生する稼働状況情報（打込玉信号）を入力する稼働状況情報入力手段（パチンコ機用通信部２１ｃ）をさらに備え、前記稼働情報出力手段（場内管理装置用通信部２１ａ）は、該稼働状況情報入力手段に入力された稼働状況情報に基づいて前記稼働情報（遊技中信号）を前記場内管理装置（３０）に対して出力することを特徴とする遊技用システムである。
【００１７】
また請求項９に係る発明は、請求項１〜８のいずれか１つに記載した遊技用システム（１）であって、前記場内管理装置（３０）は、当該遊技場において催事を実施しているか否かを特定可能な催事情報を前記集中管理装置（４０）に対して送信する催事情報送信手段（場外通信部３１ｂ）をさらに備え、前記集中管理装置は、該催事情報送信手段から受信した催事情報を各遊技場毎に記憶する催事情報記憶手段（ハードディスク４５）をさらに備え、前記他店遊技者数情報作成手段（制御部４２）又は前記他店稼働率情報作成手段（制御部４２）は、該催事情報記憶手段の記憶内容に基づいて、前記条件記憶手段（ハードディスク４５）に記憶された条件を満たす他の遊技場が催事を実施しているか否かを示す情報をさらに含む前記他店遊技者数情報又は前記他店稼働率情報を各遊技場毎に作成することを特徴とする遊技用システムである。
【００１８】
さらに請求項１０に係る発明は、請求項９に記載した遊技用システム（１）であって、前記集中管理装置（４０）は、前記催事情報の提供の有無を各遊技場毎に記憶する催事情報提供有無記憶手段（ハードディスク４５）をさらに備え、前記他店遊技者数情報作成手段（制御部４２）又は前記他店稼働率情報作成手段（制御部４２）は、該催事情報提供有無記憶手段の記憶内容に基づいて、前記催事情報の提供が有る遊技場に配信するための他店遊技者数情報又は他店稼働率情報には、前記催事情報の提供が無い遊技場に配信するための他店遊技者数情報又は他店稼働率情報よりも、催事に関してより詳細な情報を含めて、該他店遊技者数情報又は該他店稼働率情報を作成することを特徴とする遊技用システムである。
【発明の効果】
【００１９】
まず請求項１に係る遊技用システムによれば、遊技用装置から出力されて場内管理装置において収集された稼働情報から特定される遊技者数が各遊技場毎に自動的に集計されるので、遊技場の係員による入力作業の手間が軽減される。また各遊技場の売上を第三者管理するために既に構築されて実用化されているシステムを利用して遊技者数の集計が行われ、設定条件を満たす他の遊技場についての遊技者数を含む他店遊技者数情報が各遊技場に対して配信されて視認可能に出力されるので、新規のシステムを構築することなく、各遊技場に対して他の遊技場についての遊技者数を含む他店遊技者数情報を提供できる。
【００２０】
また請求項２に係る遊技用システムによれば、遊技用装置において会員用記録媒体が受け付けられたことに基づいて、会員遊技者数が各遊技場毎に自動的に集計されるので、他の遊技場における会員遊技者の来店状況も把握することができる。
【００２１】
また請求項３に係る遊技用システムによれば、他店遊技者数情報が定期的又は配信要求に応じて遊技場に配信されるので、遊技場側は、配信要求を行うことなく定期的に他店の遊技者数を把握することができる一方、配信要求を行うことにより該要求時点における他店の遊技者数をリアルタイムで把握することができる。
【００２２】
また請求項４に係る遊技用システムによれば、ある特定時点における遊技者数ではなく、所定時間毎の遊技者数の推移が把握できるので、局所的な遊技者数の変動に左右されない、遊技場にとってより有用な情報を提供できる。
【００２３】
また請求項５に係る遊技用システムによれば、遊技用装置から出力されて場内管理装置において収集された稼働情報から特定される遊技者数が各遊技場毎に自動的に集計されると共に該集計された遊技者数に基づいて稼働率が各遊技場毎に算出されるので、遊技場の係員による入力作業の手間が軽減される。また各遊技場の売上を第三者管理するために既に構築されて実用化されているシステムを利用して遊技者数の集計及び稼働率の算出が行われ、設定条件を満たす他の遊技場についての稼働率を含む他店稼働率情報が各遊技場に対して配信されて視認可能に出力されるので、新規のシステムを構築することなく、各遊技場に対して他の遊技場についての稼働率を含む他店稼働率情報を提供できる。
【００２４】
また請求項６に係る遊技用システムによれば、他店稼働率情報が定期的又は配信要求に応じて遊技場に配信されるので、遊技場側は、配信要求を行うことなく定期的に他店の稼働率を把握することができる一方、配信要求を行うことにより該要求時点における他店の稼働率をリアルタイムで把握することができる。
【００２５】
また請求項７に係る遊技用システムによれば、ある特定時点における稼働率ではなく、所定時間毎の稼働率の推移が把握できるので、局所的な稼働率の変動に左右されない、遊技場にとってより有用な情報を提供できる。
【００２６】
また請求項８に係る遊技用システムによれば、遊技機において遊技者が遊技を行うことにより発生する稼働状況情報に基づいて遊技者数の集計が行われるので、遊技用装置におけるプリペイドカードの受付状況等に基づいて遊技者数の集計を行う場合と比べて、正確に遊技者数を集計することができる。
【００２７】
また請求項９に係る遊技用システムによれば、他の遊技場が催事を実施しているか否かを示す情報を含む他店遊技者数情報又は他店稼働率情報が遊技場に配信されるので、遊技場側は、当該催事の効果を把握することができる。
【００２８】
さらに請求項１０に係る遊技用システムによれば、催事情報の提供が有る遊技場に配信される他店遊技者数情報又は他店稼働率情報には、催事情報の提供が無い遊技場に配信される他店遊技者数情報又は他店稼働率情報よりも、催事に関してより詳細な情報が含まれるので、催事情報の提供が有る遊技場と無い遊技場の両方を公平に取り扱うことができる。
【発明を実施するための最良の形態】
【００２９】
以下、本発明の実施の形態を、図面を参照して説明する。本発明に係る遊技用システム１は、図１に示すように、遊技機（パチンコ機１０）に対応して設けられる遊技用装置（カードユニット２０）と、遊技場に設けられ、複数の遊技用装置と通信可能な場内管理装置３０と、遊技場外に設置される第三者管理機関に設けられ、複数の遊技場に設けられる場内管理装置３０と通信可能な集中管理装置４０とを含んでおり、各遊技場の売上を第三者管理するために既に構築されて実用化されているシステムを利用して、遊技機において遊技を行った遊技者数や、遊技機の設置台数に対する遊技者数の割合を示す稼働率を、各遊技場において当該遊技場以外の他の遊技場について視認可能に出力するものである。
【００３０】
具体的には、カードユニット２０から出力される稼働情報（遊技中信号）に基づいて場内管理装置３０にて遊技者数を集計し、該集計した遊技者数を集中管理装置４０にて各遊技場毎に記憶し、後述する図８に示すように、各遊技場毎に当該遊技場（例えば遊技場Ａ）以外の他の遊技場（例えば遊技場Ｂ，Ｆ，Ｈ）についての遊技者数を含む他店遊技者数情報を集中管理装置４０にて作成して当該遊技場に対して配信し、該配信された他店遊技者数情報に含まれる各遊技場（ここでは遊技場Ａ，Ｂ，Ｆ，Ｈ）についての遊技者数を遊技場において視認可能に出力するものである。
【００３１】
また各遊技場に設置されているパチンコ機１０の設置台数と、カードユニット２０から出力される稼働情報（遊技中信号）に基づいて集計された遊技者数と、の割合を示す稼働率を場内管理装置３０にて算出し、該算出した稼働率を集中管理装置４０にて各遊技場毎に管理し、後述する図９に示すように、各遊技場毎に当該遊技場（例えば遊技場Ａ）以外の他の遊技場（例えば遊技場Ｂ，Ｆ，Ｈ）についての稼働率を含む他店稼働率情報を集中管理装置４０にて作成して当該遊技場に対して配信し、該配信された他店稼働率情報に含まれる各遊技場（ここでは遊技場Ａ，Ｂ，Ｆ，Ｈ）についての稼働率を遊技場において視認可能に出力するものである。
【００３２】
ここで図１においては、遊技場Ａ〜Ｃを示しているが、該遊技場の数は任意である。また各遊技場Ａ…の構成は略同様であるため、以下においては、遊技場Ａについてのみ説明し、遊技場Ｂ以下については説明を省略する。
【００３３】
この遊技用システム１において、パチンコ機１０及びカードユニット２０は、各遊技場内に設けられた図示しない遊技島において、該パチンコ機１０の機種等に従って所定の位置に配置されている。ここでパチンコ機１０及びカードユニット２０は、台番号（１番台，２番台…）により識別可能とされている。このカードユニット２０は、遊技島に設けられる台端末２，及び遊技場内の所定箇所（例えば管理事務所等）に設けられる中継コンピュータ３を介して、遊技場内の所定箇所（例えば管理事務所等）に設けられる場内管理装置３０と通信可能に接続されている。ここで台端末２は、複数（例えば４つ）の接続端子を備え、各接続端子に各カードユニット２０を接続することにより、該接続された機器との間で通信可能なものである。また中継コンピュータ３は、台端末２と場内管理装置３０との間における通信を中継するものである。
【００３４】
また遊技用システム１においては、図２に示すように、プリペイドカード４と会員カード５が使用される。ここでプリペイドカード４は遊技用記録媒体の一例であって、遊技者の所有する有価価値の大きさを特定可能な情報として残度数が記録されたものである。このプリペイドカード４は、該プリペイドカード４を管理する前記第三者管理機関から遊技場に搬入されて図示しないカード発行機にセットされ、該カード発行機において前記記録されている残度数に相当する貨幣が受け付けられると発行される。なお残度数は遊技用有価価値の大きさの一例であって、遊技媒体の貸与代金としての貨幣の金額が所定の比率で変換されたもの（例えば１００円＝１度数）である。
【００３５】
また会員カード５も遊技用記録媒体の一例であって、遊技者の所有する有価価値の大きさを特定可能な情報として残度数が記録されたものである。また会員カード５は会員遊技者特定記録媒体の一例でもあって、会員登録を行った会員遊技者である旨を特定可能な情報として会員ＩＤが記録されたものである。この会員カード５は、遊技場において会員登録を行った会員遊技者に対して発行される。
【００３６】
これらプリペイドカード４及び会員カード５は、長方形状を呈するプラスチック製の薄板における所定の部位に、前記残度数や前記会員ＩＤが記録される記録領域（図示外）が形成されてなるものであり、ここでは該記録領域として不揮発性のＥＥＰＲＯＭを備える非接触式の集積回路を搭載したＩＣカードである。
【００３７】
以下、遊技用システム１の各構成要素について説明する。なお、以下においては、リーダ／ライタを「Ｒ／Ｗ」，データベースを「ＤＢ」と略記する。
【００３８】
カードユニット２０は遊技用装置の一例であって、図１及び図２（ａ）に示すように、パチンコ機１０に対応して（ここではパチンコ機１０の左側に隣接して）設けられ、遊技者の所有する有価価値の大きさ（残度数）の範囲内における所定の大きさの有価価値（玉貸設定度数）に相当するパチンコ玉を貸与するための貸与処理（玉貸処理）を行い、該貸与処理に使用される有価価値の大きさである売上（売上金額）を特定可能な遊技場売上情報（ユニット売上信号）を外部に出力するものである。
【００３９】
ここでパチンコ機１０は遊技機の一例であって、遊技媒体であるパチンコ玉を遊技領域に打ち込むことにより遊技を行うものであり、ここでは対応するカードユニット２０と通信可能であり、該カードユニット２０との間でパチンコ玉の貸与に関する信号のやり取りが行われて玉貸処理が行われる、いわゆるＣＲ式のパチンコ機である。
【００４０】
このパチンコ機１０は、図２（ａ）に示すように、その前面に遊技領域，上皿，下皿，及び発射ハンドル等を備えると共に、残度数表示器１４，玉貸ボタン１５，及びプリペイドカード返却ボタン１６を備え、図２（ｃ）に示すように、その内部に遊技制御基板１１，払出制御基板１２，及び玉払出装置１３等を備えており、これらの各構成要素は図２（ｃ）に示すように接続されている。
【００４１】
遊技制御基板１１は、パチンコ機１０における遊技状態を制御するものである。払出制御基板１２は、カードユニット２０の後述する玉貸通信部２１ｂと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びプリペイドカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。ここで残度数表示器１４，玉貸ボタン１５，及びプリペイドカード返却ボタン１６は、パチンコ機１０の前面に配置されているものであるが、前記払出制御基板１２を介してカードユニット２０と通信可能に接続されているため、カードユニット２０に属するものである。
【００４２】
残度数表示器１４は、プリペイドカード４又は会員カード５に記録されている残度数を表示するための表示器である。玉貸ボタン１５は、プリペイドカード４又は会員カード５に記録されている残度数を使用した玉貸操作を受け付けるボタンである。プリペイドカード返却ボタン１６は、後述するプリペイドカードＲ／Ｗ２３により受け付けているプリペイドカード４を遊技者に返却するための返却操作を受け付けるボタンである。
【００４３】
パチンコ機１０の背後における遊技島には、該パチンコ機１０に対応して、パチンコ機１０の遊技領域に打ち込まれたパチンコ玉（以下「打込玉」という。）を収集するアウトタンク（図示外）が設けられており、該アウトタンクには、打込玉カウンタ１７が付設されている。この打込玉カウンタ１７は、打込玉を計数するカウンタであり、該計数された打込玉数を特定可能な情報として、１０個の打込玉が計数される毎に１パルスの打込玉信号を出力する。この打込玉信号は、対応するパチンコ機１０において遊技者が遊技を行うことにより発生する稼働状況情報でもある。
【００４４】
カードユニット２０は、縦長の箱型の形状を呈するものであり、図２（ａ）に示すように、その前面にプリペイドカード挿入口２３ａ，及び会員カード挿入口２４ａ等を備え、図２（ｂ）に示すように、その内部に場内管理装置用通信部２１ａ，玉貸通信部２１ｂ，パチンコ機用通信部２１ｃ，プリペイドカードＲ／Ｗ２３，及び会員カードＲ／Ｗ２４等を備えており、これらの各構成要素は図２（ｃ）に示すように接続されている。
【００４５】
場内管理装置用通信部２１ａは、台端末２，及び中継コンピュータ３を介して場内管理装置３０の後述する通信部５１と通信可能に接続されており、カードユニット２０と場内管理装置３０との間における通信を司るものである。
【００４６】
この場内管理装置用通信部２１ａは売上情報出力手段の一例であって、後述する貸与処理手段（制御部２２）により貸与処理に使用される有価価値の大きさである売上（売上金額）を特定可能な遊技用装置売上情報を場内管理装置３０に対して外部出力するものであり、ここでは該遊技用装置売上情報として、売上金額（＝後述する使用金額）１００円毎に１パルスのユニット売上信号を出力する。
【００４７】
また場内管理装置用通信部２１ａは稼働情報出力手段の一例であって、対応するパチンコ機１０において遊技者が遊技を行っているか否かを示す稼働情報を場内管理装置３０に対して出力するものであり、ここでは後述する稼働情報入力手段（パチンコ機用通信部２１ｃ）に入力された稼働状況情報である打込玉信号に基づいて稼働情報を場内管理装置３０に対して出力する。具体的には、該入力された打込玉信号に対応するパルス状の遊技中信号を、稼働情報として場内管理装置３０に対して出力する。このように、パチンコ機１０において遊技者が遊技を行うことにより発生する稼働状況情報に基づいて後述する遊技者数の集計が行われるので、例えばカードユニット２０におけるプリペイドカード４の受付状況等に基づいて遊技者数の集計を行う場合と比べて、正確に遊技者数を集計することができる。
【００４８】
また稼働情報出力手段として機能する場内管理装置用通信部２１ａは、後述する会員用記録媒体受付手段（会員カードＲ／Ｗ２４）により会員カード５を受け付けたことに基づいて、対応するパチンコ機１０において遊技者が遊技を行っているか否かを示す稼働情報を場内管理装置３０に対して出力するものである。具体的には、該会員カードＲ／Ｗ２４による会員カード５の受付中において、継続的な会員信号を、会員稼働情報として場内管理装置３０に対して出力する。
【００４９】
玉貸通信部２１ｂは、前述の如くパチンコ機１０の払出制御基板１２と通信可能に接続されている。
【００５０】
パチンコ機用通信部２１ｃは、打込玉カウンタ１７と通信可能に接続されている。このパチンコ機用通信部２１ｃは稼働状況情報入力手段の一例であって、対応するパチンコ機１０において遊技者が遊技を行うことにより発生する稼働状況情報を入力するものであり、ここでは該パチンコ機１０に対応するアウトタンクに付設された打込玉カウンタ１７から出力される打込玉信号を稼働状況情報として入力する。
【００５１】
制御部２２は、ＣＰＵ，ＲＡＭ，ＲＯＭ等を備えており、ＲＯＭに記憶されている処理プログラムがＲＡＭを作業領域としてＣＰＵで実行されることにより、カードユニット２０に備えられる各構成要素の動作を制御して各種の処理を行うものである。
【００５２】
この制御部２２は貸与処理手段の一例であって、遊技者の所有する有価価値の大きさ（残度数）の範囲内における所定の大きさの有価価値（玉貸設定度数）に相当するパチンコ玉を貸与するための貸与処理（玉貸処理）を行うものであり、具体的には、玉貸ボタン１５が操作されて玉貸操作を受け付けたときに、プリペイドカード４又は会員カード５に記録されている残度数と予め設定されている玉貸設定度数（例えば５度数）とを比較して、残度数≧玉貸設定度数であれば該玉貸設定度数に相当するパチンコ玉の払出を払出制御基板１２に対して指示する処理を行い、残度数＜玉貸設定度数であれば該残度数に相当するパチンコ玉の払出を払出制御基板１２に対して指示する処理を行う。
【００５３】
また制御部２２は減算処理手段の一例であって、前記貸与処理に使用される有価価値の大きさ（使用度数）をプリペイドカード４又は会員カード５の記録情報から特定される有価価値の大きさ（残度数）から減算するための減算処理を行うものであり、具体的には、前記玉貸処理が行われたときに、残度数≧玉貸設定度数であれば該玉貸設定度数を使用度数としてプリペイドカード４又は会員カード５に記録されている残度数から減算する処理を行い、残度数＜玉貸設定度数であれば該残度数を使用度数としてプリペイドカード４又は会員カード５に記録されている残度数から減算する処理を行う（即ち残度数が零になる）。
【００５４】
このカードユニット２０において玉貸処理が行われるときには、該カードユニット２０と対応するパチンコ機１０との間で、以下のような信号のやり取りが行われる。
【００５５】
まずカードユニット２０は、玉貸ボタン１５の操作を制御部２２により検出すると、１度数に相当するパチンコ玉数（例えば消費税を考慮しないのであれば２５個、消費税を考慮するのであれば消費税率に応じて２４個，２３個…等の、具体的な玉数であり、予め場内管理装置３０等により設定されて各カードユニット２０に対して配信されている）である払出要求玉数のパチンコ玉の払出を要求する払出要求信号をパチンコ機１０の払出制御基板１２に対して送信する。
【００５６】
該払出要求信号を受信したパチンコ機１０は、前記払出要求玉数のパチンコ玉の払出を指示する払出信号を払出制御基板１２から玉払出装置１３に対して出力し、これに基づいて、玉払出装置１３から払出要求玉数分のパチンコ玉の払出を行い、該払出の終了に基づいて、実際に払い出したパチンコ玉の数である払出結果玉数を示す払出結果信号をカードユニット２０の制御部２２に対して送信する。
【００５７】
該払出結果信号を受信したカードユニット２０は、前記払出要求信号に示される払出要求玉数と、該払出結果信号に示される払出結果玉数とを照合し、照合ＯＫである場合には、１度数分の前記減算処理として、プリペイドカード４又は会員カード５に記録されている残度数からパチンコ玉の貸与に使用された１度数を減算すると共に、残度数表示器１４に表示された残度数から１度数を減算し、前記１パルスのユニット売上信号を出力する。そしてカードユニット２０は、これら１度数分の玉貸処理を玉貸設定度数分だけ繰り返し、該玉貸設定度数分の玉貸処理の終了に基づいて、玉貸終了信号をパチンコ機１０の払出制御基板１２に対して送信し、玉貸処理を終了する。
【００５８】
なおパチンコ機１０において、玉払出装置１３から払い出されたパチンコ玉は、上皿に供給され、発射ハンドルの操作により遊技領域の内部に打ち込まれて、遊技が行われる。そして前記打込玉が、遊技領域に形成された入賞口に入賞すると、払出制御基板１２から発せられる払出信号に基づいて、賞球として玉払出装置１３からパチンコ玉が払い出されて、上皿又は下皿に供給される。また前記打込玉は、アウトタンクにより収集され、打込玉カウンタ１７により計数されて、該打込玉カウンタ１７が１０個の打込玉を計数する毎に、１パルスの打込玉信号を出力する。
【００５９】
プリペイドカードＲ／Ｗ２３は、プリペイドカード挿入口２３ａからプリペイドカード４を受け付けて、該受け付けたプリペイドカード４に記録されている残度数を読み取ると共に、該プリペイドカード４に対して前記減算処理後の残度数を記録する（書き込む）ものであり、ここでは前記ＩＣカードであるプリペイドカード４に対応したＩＣカードＲ／Ｗを備えている。このプリペイドカードＲ／Ｗ２３により受け付けられているプリペイドカード４は、プリペイドカード返却ボタン１６が操作されて返却操作が受け付けられたとき，又はプリペイドカード４に記録されている残度数が零になったときに、プリペイドカード挿入口２３ａから排出される。なお会員カードＲ／Ｗ２４にて会員カード５を受け付けているときには、プリペイドカードＲ／Ｗ２３はプリペイドカード４を受付不能である。
【００６０】
会員カードＲ／Ｗ２４は会員用記録媒体受付手段の一例であって、会員カード挿入口２４ａから会員カード５を受け付けて、該受け付けた会員カード５に記録されている会員ＩＤを読み取ると共に、該会員カード５に対して前記減算処理後の残度数を記録する（書き込む）ものであり、ここでは前記ＩＣカードである会員カード５に対応したＩＣカードＲ／Ｗを備えている。この会員カードＲ／Ｗ２４が会員カード５の受付中において、継続的な会員信号を出力する。この会員カードＲ／Ｗ２４においては、図２（ｂ）に示すように、会員カード５の後端部が会員カード挿入口２４ａから露出した状態で会員カード５が受け付けられるので、遊技者が該露出している会員カード５の後端部を把持して引き抜くことにより、該会員カード５が会員カード挿入口２４ａから排出されて遊技者に返却される。なおプリペイドカードＲ／Ｗ２３にてプリペイドカード４を受け付けているときには、会員カードＲ／Ｗ２４にて会員カード５を受付不能である。
【００６１】
場内管理装置３０は、遊技場に設けられ、複数のカードユニット２０と通信可能であり、該カードユニット２０から出力されたユニット売上信号から特定される売上（売上金額）を管理し、該管理している売上を特定可能な遊技場売上情報を遊技場外部の集中管理装置４０に対して送信するものである。この場内管理装置３０は、前述の如く遊技場内の所定箇所（例えば管理事務所等）に設けられ、図１に示すように接続される場内通信部３１ａ，場外通信部３１ｂ，制御部３２，ディスプレイ３３，入力装置３４，及びハードディスク３５等を備えているコンピュータである。
【００６２】
場内通信部３１ａは、中継コンピュータ３と通信可能に接続され、該中継コンピュータ３及び前記台端末２を介して、場内管理装置３０とカードユニット２０との間における通信を司るものである。この場内通信部３１ａは稼働情報収集手段の一例であって、前記稼働情報出力手段（場内管理装置通信部２１ａ）より出力された稼働情報（遊技中信号，会員信号）を収集するものである。また場内通信部３１ａは、前記売上情報出力手段より出力された遊技用装置売上情報（ユニット売上信号）も収集する。
【００６３】
場外通信部３１ｂは、後述する集中管理装置４０の通信部４１と通信可能に接続され、場内管理装置３０と集中管理装置４０との間における通信を司るものであるが、この場外通信部３１ｂの機能については後述する。
【００６４】
制御部３２は、ＣＰＵ，ＲＡＭ，ＲＯＭ等を備え、ハードディスク３５に記憶されている処理プログラムがＲＡＭを作業領域としてＣＰＵで実行されることにより、場内管理装置３０を制御して各種の処理を行うものであるが、この制御部３２の機能については後述する。
【００６５】
ディスプレイ３３は各種の情報を表示する（即ち視認可能に出力する）ためのものであり、例えば液晶表示器である。このディスプレイ３３は出力手段の一例であって、後述する図８に示すように、他店遊技者数情報配信手段（通信部４１）より受信した他店遊技者数情報に含まれる各遊技場についての遊技者数や会員遊技者数を視認可能に出力すると共に、所定時間毎（ここでは２０分毎）の遊技者数や会員遊技者数の推移を視認可能に出力するものである。また出力手段として機能するディスプレイ３３は、後述する図９に示すように、他店稼働率情報配信手段（通信部４１）より受信した他店稼働率情報に含まれる各遊技場についての稼働率を視認可能に出力すると共に、所定時間毎（ここでは２０分毎）の稼働率の推移を視認可能に出力するものである。なお、これらの表示内容の詳細については後述する。
【００６６】
入力装置３４は各種の入力を受け付けるためのものであり、例えばキーボード及びマウスである。これらディスプレイ３３及び入力装置３４は条件設定手段の一例であって、図３（ａ）に示すように、当該遊技場以外の他の遊技場についての遊技者数を含む前記他店遊技者数情報を作成するときに該他店遊技者数情報に遊技者数を含める他の遊技場の条件，及び当該遊技場以外の他の遊技場についての稼働率を含む前記他店稼働率情報を作成するときに該他店稼働率情報に稼働率を含める他の遊技場の条件を設定するためのものである。
【００６７】
具体的には、図示しないメニュー画面から「条件設定」モードが選択されると、図３（ａ）に示す条件設定画面がディスプレイ３３に表示される。この条件設定画面では、前記他の遊技場の条件を選択するためのプルダウンメニューが表示される。ここで入力装置３４の操作により、プルダウンメニューから「同一商圏内」が選択されて「設定」ボタンが操作されると、同一商圏内（即ち当該遊技場の所在地と同一又は近隣の所在地）にある他の遊技場が、他店遊技者数情報に遊技者数を含める他の遊技場，及び他店稼働率情報に稼働率を含める他の遊技場として設定される。一方、プルダウンメニューから「個別指定」が選択されると、図示しない遊技場入力画面がディスプレイ３３に表示され、該遊技場入力画面で所望の遊技場が入力されて「設定」ボタンが操作されると、該入力された遊技場が、他店遊技者数情報に遊技者数を含める他の遊技場，及び他店稼働率情報に稼働率を含める他の遊技場として設定される。ここで設定された他の遊技場の条件は、集中管理装置４０に対して送信され、後述する図６に示す条件記憶手段（ハードディスク４５）にて各遊技場毎に記憶される。
【００６８】
また条件設定画面では、当該遊技場において催事を実施しているか否かを特定可能な催事情報の提供の有無を選択するためのラジオボタンも表示される。ここで入力装置３４の操作により、「有り」のラジオボタンが選択されて「設定」ボタンが操作されると、前記催事情報の提供が有ると設定される。一方、「無し」のラジオボタンが選択されて「設定」ボタンが操作されると、前記催事情報の提供が無いと設定される。ここで設定された催事情報の提供の有無は、集中管理装置４０に対して送信され、後述する図６に示す催事情報提供有無記憶手段（ハードディスク４５）にて各遊技場毎に記憶される。なお条件設定画面において、「クリア」ボタンが操作されると、選択された内容がクリアされ、「メニュー」ボタンが操作されると、図示しないメニュー画面に戻る。
【００６９】
またディスプレイ３３及び入力装置３４は催事情報設定手段の一例であって、図３（ｂ）に示すように、前記催事情報の内容を設定するためのものである。具体的には、図示しないメニュー画面から「催事情報設定」モードが選択されると、図３（ｂ）に示す催事情報設定画面がディスプレイ３３に表示される。この催事情報設定画面では、催事が実施される「日付」，「催事名」，催事の「開始時刻」，及び催事の「終了時刻」の各入力欄が表示される。ここで入力装置３４の操作により、各入力欄に日付（ここでは１０月２３日），催事名（ここでは景品プレゼント），開始時刻（ここでは21:00），及び終了時刻（ここでは23:00）が入力されて「設定」ボタンが操作されると、該入力された内容が催事情報として設定される。ここで設定された催事情報は、集中管理装置４０に対して送信され、後述する図６に示す催事情報記憶手段（ハードディスク４５）にて各遊技場毎に記憶される。なお催事情報設定画面において、「別の催事」ボタンが操作されると、別の催事情報の設定が可能となり、「クリア」ボタンが操作されると、選択された内容がクリアされ、「メニュー」ボタンが操作されると、図示しないメニュー画面に戻る。
【００７０】
さらにディスプレイ３３及び入力装置３４は配信情報指定手段の一例であって、図３（ｃ）に示すように、今すぐに配信を要求する情報の種類を指定するためのものである。具体的には、図示しないメニュー画面から「配信情報指定」モードが選択されると、図３（ｃ）に示す配信情報指定画面がディスプレイ３３に表示される。この配信情報指定画面では、今すぐに配信を要求する情報の種類として、「他店遊技者数情報」及び／又は「他店稼働率情報」を指定するためのチェックボックスが表示される。ここで入力装置３４の操作により、所望のチェックボックスがチェックされて「配信要求」ボタンが操作されると、該チェックされたチェックボックスに対応する種類の情報が配信を要求する情報として指定される。なお配信情報指定画面において、「クリア」ボタンが操作されると、指定された内容がクリアされ、「メニュー」ボタンが操作されると、図示しないメニュー画面に戻る。
【００７１】
ハードディスク３５は設置台数記憶手段の一例であって、当該遊技場に設置されているパチンコ機１０の設置台数を記憶する設置台数ＤＢを備えている。この設置台数ＤＢでは、図４に示すように、当該遊技場（ここでは遊技場Ａ）に設置されているパチンコ機１０の機種毎の設置台数（ここではCR.AAAが５０台，CR.BBBが３０台…）と、該パチンコ機１０全体の設置台数（ここでは１８０台）が記憶される。この設置台数としては、ディスプレイ３３に表示される図示しない設置台数設定画面において、入力装置３４の操作により設定された各機種毎の設置台数が記憶される。
【００７２】
またハードディスク３５は、各パチンコ機１０に対応するカードユニット２０における売上金額を記憶する売上金額ＤＢを備えている。この売上金額ＤＢでは、図４に示すように、各パチンコ機１０に対応するカードユニット２０における売上金額と、該パチンコ機１０の機種毎の合計売上金額と、該パチンコ機１０全体の合計売上金額が記憶される。この売上金額は、前記売上情報出力手段（場内管理装置用通信部２１ａ）から出力されたユニット売上信号を受信する毎に加算更新される。この売上金額ＤＢは、複数日分に亘って記憶される。
【００７３】
さらにハードディスク３５は、各パチンコ機１０において遊技者又は会員遊技者が遊技を行っているか否かを示す稼働状況を記憶する稼働状況ＤＢを備えている。この稼働状況ＤＢでは、各パチンコ機１０の台番号と対応付けて、後述する集計条件設定手段（ディスプレイ４３及び入力装置４４）により設定された集計条件（ここでは10:00〜22:00までの間における２０分毎）に基づく各集計時刻（ここでは10:00，10:20，10:40…21:40，22:00の３６回）毎に、稼働状況が記憶される。この稼働状況としては、例えば各集計時刻において該集計時刻から２分間の間に前記会員信号及び前記遊技中信号を受信したときに、会員遊技者が遊技を行っているとしてメンバーを示すＭ印が記憶され、各集計時刻において該集計時刻から２分間の間に前記遊技中信号のみを受信したときに、会員遊技者でない遊技者が遊技を行っているとしてビジターを示すＶ印が記憶される。この稼働状況ＤＢも、複数日分に亘って記憶される。
【００７４】
ここで前記制御部３２は遊技者数集計手段の一例であって、前記稼働情報収集手段（場内通信部３１ａ）により収集した稼働情報に基づいて、当該遊技場において遊技を行った遊技者数及び会員遊技者数を集計するものである。具体的には、図４に示す稼働状況ＤＢの記憶内容に基づいて、各集計時刻におけるＭ印とＶ印を合算して、各集計時刻における遊技者数を各機種毎及び全体について集計する（＊１）と共に、各集計時刻におけるＭ印を合算して、各集計時刻における会員遊技者数を各機種毎及び全体について集計する（＊２）。また該集計した各集計時刻における遊技者数を全集計時刻について合算して、全集計時刻における遊技者数の合計を各機種毎及び全体について集計する（＊３）と共に、該集計した各集計時刻における会員遊技者数を全集計時刻について合算して、全集計時刻における会員遊技者数の合計を各機種毎及び全体について集計する（＊４）。さらに該集計した全集計時刻における遊技者数の合計を集計時刻数（ここでは３６回）で除算して、遊技者数の平均を各機種毎及び全体について算出する（＊５）と共に、該集計した全集計時刻における会員遊技者数の合計を集計時刻数（ここでは３６回）で除算して、会員遊技者数の平均を各機種毎及び全体について算出する（＊６）。この遊技者数集計手段による集計結果は、図４に示すように、稼働状況ＤＢに記憶される。
【００７５】
また前記制御部３２は稼働率算出手段の一例であって、前記設置台数記憶手段（ハードディスク３３の設置台数ＤＢ）に記憶されているパチンコ機１０の設置台数に対する前記遊技者数集計手段（制御部３２）により集計された遊技者数の割合を示す稼働率を算出するものである。具体的には、機種毎に集計した各集計時刻における遊技者数を当該機種の設置台数（例えばCR.AAAであれば５０台）で除算して、各集計時刻における稼働率（％）を各機種毎に算出する（＊７）と共に、機種毎に集計した全集計時刻における遊技者数の平均（例えばCR.AAAであれば３９．１人）を当該機種の設置台数で除算して、全集計時刻における稼働率（％）の平均を各機種毎に算出する（＊８）。また全体について集計した各集計時刻における遊技者数を全体の設置台数（ここでは１８０台）で除算して、各集計時刻における稼働率（％）を全体について算出する（＊９）と共に、全体について集計した全集計時刻における遊技者数の平均（ここでは１０４．８人）を全体の設置台数で除算して、全集計時刻における稼働率（％）の平均を全体について算出する（＊１０）。この稼働率算出手段による算出結果は、図４に示すように、稼働状況ＤＢに記憶される。
【００７６】
また前記場外通信部３１ｂは遊技場売上情報送信手段の一例であって、管理している売上を特定可能な遊技場売上情報を遊技場外部の集中管理装置４０に対して送信するものであり、ここでは前記売上金額ＤＢに記憶されている売上金額を特定可能な遊技場売上情報を、後述する集計条件設定手段（ディスプレイ４３及び入力装置４４）により設定された所定時間毎（集計時間毎）に、集中管理装置４０に対して送信する。
【００７７】
また前記場外通信部３１ｂは遊技者数情報送信手段の一例であって、前記遊技者数集計手段（制御部３２）により集計した遊技者数を特定可能な遊技者数情報を集中管理装置４０に対して送信するものである。また遊技者数情報送信手段として機能する場外通信部３１ｂは、前記遊技者数集計手段により集計した会員遊技者数を特定可能な会員遊技者数情報を集中管理装置４０に対して送信するものである。これら遊技者数情報及び会員遊技者数情報は、ここでは後述する集計条件設定手段（ディスプレイ４３及び入力装置４４）により設定された所定時間毎（集計時間毎）に送信される。
【００７８】
また前記場外通信部３１ｂは稼働率情報送信手段の一例であって、前記稼働率算出手段（制御部３２）により算出した稼働率を特定可能な稼働率情報を集中管理装置４０に対して送信するものである。この稼働率情報は、ここでは後述する集計条件設定手段（ディスプレイ４３及び入力装置４４）により設定された所定時間毎（集計時間毎）に送信される。
【００７９】
また前記場外通信部３１ｂは配信要求送信手段の一例であって、集中管理装置４０に対して他店遊技者数情報や他店稼働率情報の配信要求を送信するものであり、ここでは図３（ｃ）に示すようにして指定された情報の配信要求を、集中管理装置４０に対して送信する。
【００８０】
さらに前記場外通信部３１ｂは催事情報送信手段の一例であって、当該遊技場において催事を実施しているか否かを特定可能な催事情報を集中管理装置４０に対して送信するものであり、ここでは図３（ｂ）に示すようにして設定された催事情報を、集中管理装置４０に対して送信する。
【００８１】
集中管理装置４０は、遊技場外に設置される第三者機関に設けられ、複数の遊技場に設けられる場内管理装置３０と通信可能であり、該場内管理装置３０より受信した遊技場売上情報から特定される売上を各遊技場毎に管理するものである。この集中管理装置４０は、図１に示すように接続される通信部４１，制御部４２，ディスプレイ４３，入力装置４４，及びハードディスク４５等を備えているコンピュータである。
【００８２】
通信部４１は、前述の如く場内管理装置３０の場外通信部３１ｂと通信可能に接続され、集中管理装置４０と場内管理装置３０との間における通信を司るものであるが、この通信部４１の機能については後述する。
【００８３】
制御部４２は、ＣＰＵ，ＲＡＭ，ＲＯＭ等を備え、ハードディスク４５に記憶されている処理プログラムがＲＡＭを作業領域としてＣＰＵで実行されることにより、集中管理装置４０を制御して各種の処理を行うものであるが、この制御部４２の機能については後述する。
【００８４】
ディスプレイ４３は各種の情報を表示するためのものであり、例えば液晶表示器である。入力装置４４は各種の入力を受け付けるためのものであり、例えばキーボード及びマウスである。これらディスプレイ４３及び入力装置４４は集計条件設定手段の一例であって、図５に示すように、遊技者数，会員遊技者数，及び稼働率を集計するための集計条件として、集計時間，集計開始時刻，及び集計終了時刻を全遊技場について設定するためのものである。
【００８５】
具体的には、図示しないメニュー画面から「集計条件設定」モードが選択されると、図５に示す集計条件設定画面がディスプレイ４３に表示される。この集計条件設定画面では、集計時間を選択するためのプルダウンメニューが表示される。ここで入力装置４４の操作により、プルダウンメニューから所望の集計時間（ここでは２０分毎）が選択されて「設定」ボタンが操作されると、該選択された集計時間が設定される。また集計条件設定画面では、「集計開始時刻」，及び「集計終了時刻」の各入力欄が表示される。ここで入力装置４４の操作により、各入力欄に集計開始時刻（ここでは10:00），及び集計終了時刻（ここでは22:00）が入力されて「設定」ボタンが操作されると、該入力された内容が集計条件として設定される。ここで設定された集計条件は、各場内管理装置３０に対して送信され、前記図４に示すハードディスク３５にて記憶される。なお集計条件設定画面において、選択・入力された内容がクリアされ、「メニュー」ボタンが操作されると、図示しないメニュー画面に戻る。
【００８６】
ハードディスク４５は条件記憶手段の一例であって、各遊技場毎に、当該遊技場以外の他の遊技場についての遊技者数を含む前記他店遊技者数情報を作成するときに該他店遊技者数情報に遊技者数を含める他の遊技場の条件，及び当該遊技場以外の他の遊技場についての稼働率を含む前記他店稼働率情報を作成するときに該他店稼働率情報に稼働率を含める他の遊技場の条件を記憶する遊技場ＤＢを備えている。具体的には、図６に示すように、遊技場の所在地が各遊技場毎に記憶されると共に、各遊技場において図３（ａ）に示すようにして設定された他の遊技場の条件が各遊技場毎に記憶される。
【００８７】
またハードディスク４５は催事情報提供有無記憶手段の一例であって、催事情報の提供の有無を各遊技場毎に記憶する遊技場ＤＢを備えている。具体的には、図６に示すように、各遊技場において図３（ａ）に示すようにして設定された催事情報の提供の有無が各遊技場毎に記憶される。
【００８８】
さらにハードディスク４５は催事情報記憶手段の一例であって、前記催事情報送信手段（場外通信部３１ｂ）から受信した催事情報を各遊技場毎に記憶する遊技場ＤＢを備えている。具体的には、図６に示すように、各遊技場において図３（ｂ）に示すようにして設定された催事情報である催事名，開始時刻，及び終了時刻が各遊技場毎に記憶される（ここでは遊技場ＡとＤについてのみ催事情報が設定されている）。
【００８９】
またハードディスク４５は遊技者数記憶手段の一例であって、前記遊技者数情報送信手段（場外通信部３１ｂ）より受信した遊技者数情報から特定される遊技者数を各遊技場毎に記憶する遊技者数ＤＢを備えている。この遊技者数記憶手段として機能するハードディスク４５は、前記遊技者数情報送信手段（場外通信部３１ｂ）より受信した遊技者数情報から特定される会員遊技者数を各遊技場毎に記憶する会員遊技者数ＤＢを備えている。また遊技者数記憶手段として機能するハードディスク４５は、前記遊技者数情報送信手段（場外通信部３１ｂ）より受信した遊技者数情報から特定される遊技者数及び会員遊技者数を所定時間毎かつ各遊技場毎に記憶する。以下、図７を参照して、遊技者数ＤＢ及び会員遊技者数ＤＢの記憶内容について説明する。
【００９０】
まず遊技者数ＤＢでは、前記遊技者数情報送信手段より受信した遊技者数情報から特定される遊技者数として、各集計時刻における遊技者数，全集計時刻における遊技者数の合計，及び遊技者数の平均が、各機種毎及び全体について、各遊技場毎に記憶される。また会員遊技者数ＤＢでも、前記遊技者数情報送信手段より受信した遊技者数情報から特定される会員遊技者数として、各集計時刻における会員遊技者数，全集計時刻における会員遊技者数の合計，及び会員遊技者数の平均が、各機種毎及び全体について、各遊技場毎に記憶される。これら遊技者数ＤＢ及び会員遊技者数ＤＢは、複数日分に亘って記憶される。
【００９１】
さらにハードディスク４５は稼働率記憶手段の一例であって、前記稼働率情報送信手段（場外通信部３１ｂ）より受信した稼働率情報から特定される稼働率を各遊技場毎に記憶する稼働率ＤＢを備えている。この稼働率ＤＢでは、図７に示すように、前記稼働率情報送信手段より受信した稼働率情報から特定される稼働率として、各集計時刻における稼働率，及び稼働率の平均が、各機種毎及び全体について、各遊技場毎に記憶される。この稼働率ＤＢも、複数日分に亘って記憶される。なおハードディスク４５は、各遊技場における売上金額を各遊技場毎に記憶する図示しない売上金額ＤＢも備えている。
【００９２】
ここで前記制御部４２は他店遊技者数情報作成手段の一例であって、前記遊技者数記憶手段（ハードディスク４５の遊技者数ＤＢ）により各遊技場毎に記憶されている遊技者数に基づいて、前記条件記憶手段（ハードディスク４５の遊技場ＤＢ）に記憶された条件を満たす他の遊技場についての遊技者数を含む他店遊技者数情報を各遊技場毎に作成するものである。また他店遊技者数情報作成手段として機能する制御部４２は、前記遊技者数記憶手段により各遊技場毎に記憶されている会員遊技者数に基づいて、前記条件記憶手段に記憶された条件を満たす他の遊技場についての会員遊技者数をさらに含む他店遊技者数情報を各遊技場毎に作成するものである。さらに他店遊技者数情報作成手段として機能する制御部４２は、前記遊技者数記憶手段により所定時間毎かつ各遊技場毎に記憶されている遊技者数及び会員遊技者数に基づいて、前記条件記憶手段に記憶された条件を満たす他の遊技場についての所定時間毎の遊技者数及び会員遊技者数の推移をさらに含む前記他店遊技者数情報を各遊技場毎に作成するものである。
【００９３】
また前記制御部４２は他店稼働率情報作成手段の一例であって、前記稼働率記憶手段（ハードディスク４５の稼働率ＤＢ）により各遊技場毎に記憶されている稼働率に基づいて、前記条件記憶手段（ハードディスク４５の遊技場ＤＢ）に記憶された条件を満たす他の遊技場についての稼働率を含む他店稼働率情報を各遊技場毎に作成するものである。また他店稼働率情報作成手段として機能する制御部４２は、前記稼働率記憶手段により所定時間毎かつ各遊技場毎に記憶されている稼働率に基づいて、前記条件記憶手段に記憶された条件を満たす他の遊技場についての所定時間毎の稼働率の推移をさらに含む他店稼働率情報を各遊技場毎に作成するものである。
【００９４】
また前記他店遊技者数情報作成手段又は前記他店稼働率情報作成手段として機能する制御部４２は、前記催事情報記憶手段（ハードディスク４５の遊技場ＤＢ）の記憶内容に基づいて、前記条件記憶手段（ハードディスク４５の遊技場ＤＢ）に記憶された条件を満たす他の遊技場が催事を実施しているか否かを示す情報をさらに含む他店遊技者数情報又は他店稼働率情報を各遊技場毎に作成する。さらに前記他店遊技者数情報作成手段又は前記他店稼働率情報作成手段として機能する制御部４２は、前記催事情報提供有無記憶手段（ハードディスク４５の遊技場ＤＢ）の記憶内容に基づいて、催事情報の提供が有る遊技場（例えば遊技場Ａ，Ｄ）に配信するための他店遊技者数情報又は他店稼働率情報には、催事情報の提供が無い遊技場（例えば遊技場Ｂ，Ｃ）に配信するための他店遊技者数情報又は他店稼働率情報よりも、催事に関してより詳細な情報を含めて、該他店遊技者数情報又は該他店稼働率情報を作成する。
【００９５】
これら他店遊技者数情報作成手段及び他店稼働率情報作成手段としての機能の具体例については、図８及び図９を参照して後述する。
【００９６】
また前記通信部４１は他店遊技者数情報配信手段の一例であって、前記他店遊技者数情報作成手段（制御部４２）により作成した他店遊技者数情報を各遊技場に対して配信するものである。この他店遊技者数情報配信手段として機能する通信部４１は、前記他店遊技者数情報作成手段により作成した他店遊技者数情報を各遊技場に対して定期的に（ここでは１時間毎，及び遊技場の閉店後に）配信すると共に、前記配信要求送信手段（場外通信部３１ｂ）から配信要求を受信したときに、前記他店遊技者数情報作成手段により作成した他店遊技者数情報を該配信要求の送信元である遊技場に対して配信する。
【００９７】
さらに前記通信部４１は他店稼働率情報配信手段の一例であって、前記他店稼働率情報作成手段（制御部４２）により作成した他店稼働率情報を各遊技場に対して配信するものである。この他店稼働率情報配信手段として機能する通信部４１は、前記他店稼働率情報作成手段により作成した他店稼働率情報を各遊技場に対して定期的に（ここでは１時間毎，及び遊技場の閉店後に）配信すると共に、前記配信要求送信手段（場外通信部３１ｂ）から配信要求を受信したときに、前記他店稼働率情報作成手段により作成した他店稼働率情報を該配信要求の送信元である遊技場に対して配信する。
【００９８】
以下、遊技用システム１の具体的な作用について説明する。以下においては、カードユニット２０から出力される稼働情報に基づいて、図４に示すように、遊技者数の集計，会員遊技者数の集計，及び稼働率の算出が場内管理装置３０において行われていると共に、該場内管理装置３０から送信されてきた遊技者数情報及び稼働率情報に基づいて、図７に示すように、遊技者数，会員遊技者数，及び稼働率が各遊技場毎に集中管理装置４０において記憶されているものとする。また図６に示すように、他の遊技場の条件，催事情報の提供の有無，及び催事情報も集中管理装置４０において記憶されているものとする。
【００９９】
まず図８を参照して、集中管理装置４０において、遊技場Ａの場内管理装置３０に対して配信する他店遊技者数情報が作成される場合について説明する。ここで配信先である遊技場Ａについては、図６に示すように、他の遊技場の条件として同一商圏内の遊技場が記憶されているので、遊技場Ａの所在地と同一の所在地にある遊技場Ｂ，Ｆ（図示外），及びＨ（図示外）についての遊技者数及び会員遊技者数を含む他店遊技者数情報が作成される。また、ここで作成される他店遊技者数情報には、配信先である遊技場Ａについての遊技者数及び会員遊技者数も含まれる。
【０１００】
具体的には、図７に示す本日の遊技者数ＤＢから、設定条件を満たす他の遊技場である遊技場Ｂ，Ｆ，及びＨと、配信先である遊技場Ａについて、各集計時刻における全体遊技者数，全集計時刻における全体遊技者数の合計，及び全体遊技者数の平均が抽出される。そして図８に示すように、該抽出された情報に基づいて、各遊技場についての所定時間毎の全体遊技者数の推移を表形式で示す他店遊技者数情報が作成される。また該抽出された情報に基づいて、縦軸に遊技者数，横軸に集計時刻を表すグラフエリアにおいて、各遊技場について各集計時刻における全体遊技者数をプロットして該プロットされた点を結ぶことにより、各遊技場についての所定時間毎の全体遊技者数の推移を折線グラフ形式で示す他店遊技者数情報が作成される。
【０１０１】
また図７に示す本日の会員遊技者数ＤＢから、設定条件を満たす他の遊技場である遊技場Ｂ，Ｆ，及びＨと、配信先である遊技場Ａについて、各集計時刻における全体会員遊技者数，全集計時刻における全体会員遊技者数の合計，及び全体会員遊技者数の平均が抽出される。そして図８に示すように、該抽出された情報に基づいて、各遊技場についての所定時間毎の全体会員遊技者数の推移を表形式で示す他店遊技者数情報が作成される。ここで配信先である遊技場Ａに関するデータについては、太線で表示される。
【０１０２】
以上の説明では、全体遊技者数を含む他店遊技者数情報が作成される場合について説明したが、同様の手法で、機種別遊技者数を含む他店遊技者数情報も機種毎に作成される。
【０１０３】
次に図９を参照して、集中管理装置４０において、遊技場Ａの場内管理装置３０に対して配信する他店稼働率情報が作成される場合について説明する。ここで配信先である遊技場Ａについては、図６に示すように、他の遊技場の条件として同一商圏内の遊技場が記憶されているので、遊技場Ａの所在地と同一の所在地にある遊技場Ｂ，Ｆ（図示外），及びＨ（図示外）についての稼働率を含む他店稼働率情報が作成される。また、ここで作成される他店稼働率情報には、配信先である遊技場Ａについての稼働率も含まれる。
【０１０４】
具体的には、図７に示す本日の稼働率ＤＢから、設定条件を満たす他の遊技場である遊技場Ｂ，Ｆ，及びＨと、配信先である遊技場Ａについて、各集計時刻における全体稼働率，及び全体稼働率の平均が抽出される。そして図９に示すように、該抽出された情報に基づいて、各遊技場についての所定時間毎の全体稼働率の推移を表形式で示す他店稼働率情報が作成される。また該抽出された情報に基づいて、縦軸に稼働率，横軸に集計時刻を表すグラフエリアにおいて、各遊技場について各集計時刻における全体稼働率をプロットして該プロットされた点を結ぶことにより、各遊技場についての所定時間毎の全体稼働率の推移を折線グラフ形式で示す他店稼働率情報が作成される。ここで配信先である遊技場Ａに関するデータについては、太線で表示される。
【０１０５】
以上の説明では、全体稼働率を含む他店稼働率情報が作成される場合について説明したが、同様の手法で、機種別稼働率を含む他店稼働率情報も機種毎に作成される。
【０１０６】
これら他店遊技者数情報及び他店稼働率情報を作成する上で、配信先である遊技場Ａについては、図６に示すように、催事情報の提供が有ると記憶されているので、催事情報の提供が無い遊技場に配信するための他店遊技者数情報及び他店稼働率情報よりも催事に関してより詳細な情報として、催事名を含めて他店遊技者数情報及び他店稼働率情報が作成される。具体的には、図８及び図９に示すように、催事情報として、遊技場Ａにおいて21:00〜23:00まで景品プレゼントの催事を実施している旨，及び遊技場Ｈにおいて10:00〜23:00までCR.AAA新装開店の催事を実施している旨を示す他店遊技者数情報及び他店稼働率情報が作成される。このように、他の遊技場が催事を実施しているか否かを示す情報を含む他店遊技者数情報及び他店稼働率情報が遊技場に配信されるので、遊技場側は、当該催事の効果を把握することを特徴とすることができる。
【０１０７】
なお配信先である遊技場について、催事情報の提供が無いと記憶されているとき（例えば遊技場Ｂ）には、催事名を含めないで他店遊技者数情報及び他店稼働率情報が作成される。具体的には、催事情報として、遊技場Ａにおいて21:00〜23:00まで催事を実施している旨（催事名である「景品プレゼント」は含めない），及び遊技場Ｈにおいて10:00〜23:00まで催事を実施している旨（催事名である「CR.AAA新装開店」は含めない）を示す他店遊技者数情報及び他店稼働率情報が作成される。このように、催事情報の提供が有る遊技場に配信される他店遊技者数情報及び他店稼働率情報には、催事情報の提供が無い遊技場に配信される他店遊技者数情報及び他店稼働率情報よりも、催事に関してより詳細な情報が含まれるので、催事情報の提供が有る遊技場と無い遊技場の両方を公平に取り扱うことができる。
【０１０８】
以上に説明した他店遊技者数情報及び他店稼働率情報は、前記集計時間（ここでは２０分毎）よりも長い間隔（例えば１時間毎）で、その時点におけるハードディスク４５の記憶内容に基づいて定期的に作成されて、遊技場Ａに対して配信される。ここで例示した図８及び図９は、遊技場の閉店後に配信されるものであるため、全時間のデータが含まれているが、遊技場の営業中に配信されるものには、配信時間前までのデータが含まれる。
【０１０９】
また他店遊技者数情報及び他店稼働率情報は、遊技場Ａから配信要求を受信したときに、該受信した時点におけるハードディスク４５の記憶内容に基づいて作成されて、遊技場Ａに対して配信される。このように、他店遊技者数情報及び他店稼働率情報が定期的又は配信要求に応じて遊技場に配信されるので、遊技場側は、配信要求を行うことなく定期的に他店の遊技者数及び稼働率を把握することができる一方、配信要求を行うことにより該要求時点における他店の遊技者数及び稼働率をリアルタイムで把握することができる。なお他店遊技者数情報及び他店稼働率情報は、各遊技場における閉店処理後にも、各遊技場に対して配信される。
【０１１０】
そして該他店遊技者数情報及び他店稼働率情報を受信した遊技場においては、図８に示すように、該受信した他店遊技者数情報から特定される各遊技場についての遊技者数がディスプレイ３３に表示されて視認可能に出力されると共に、図９に示すように、該受信した他店稼働率情報から特定される各遊技場についての稼働率がディスプレイ３３に表示されて視認可能に出力される。
【０１１１】
このように、カードユニット２０から出力されて場内管理装置３０において収集された稼働情報から特定される遊技者数が各遊技場毎に自動的に集計されると共に該集計された遊技者数に基づいて稼働率が各遊技場毎に算出されるので、遊技場の係員による入力作業の手間が軽減される。また各遊技場の売上を第三者管理するために既に構築されて実用化されているシステムを利用して遊技者数の集計及び稼働率の算出が行われ、設定条件を満たす他の遊技場についての遊技者数を含む他店遊技者数情報や稼働率を含む他店稼働率情報が各遊技場に対して配信されて視認可能に出力されるので、新規のシステムを構築することなく、各遊技場に対して他の遊技場についての遊技者数を含む他店遊技者数情報や稼働率を含む他店稼働率情報を提供できる。
【０１１２】
また図８に示すように、カードユニット２０において会員カード５が受け付けられたことに基づいて、会員遊技者数が各遊技場毎に自動的に集計されるので、他の遊技場における会員遊技者の来店状況も把握することができる。さらに図８及び図９に示すように、ある特定時点における遊技者数や稼働率ではなく、所定時間毎の遊技者数や稼働率の推移が把握できるので、局所的な遊技者数や稼働率の変動に左右されない、遊技場にとってより有用な情報を提供できる。
【０１１３】
最後に、本発明の変形例について説明する。
【０１１４】
上記の実施形態では、図８に示す他店遊技者数情報と図９に示す他店稼働率情報の両方を対象として、遊技者数の集計及び稼働率の算出を行い、他店遊技者数情報及び他店稼働率情報を作成し、他店遊技者数情報及び他店稼働率情報を配信し、他店遊技者数情報及び他店稼働率情報が視認可能に出力される遊技用システム１について説明したが、これに限らず、他店遊技者数情報又は他店稼働率情報のいずれか一方のみを対象とする遊技用システムであっても良い。
【０１１５】
具体的には、他店遊技者数情報のみを対象とする遊技用システムであれば、他店稼働率情報を作成・配信するための手段である設置台数記憶手段，稼働率算出手段，稼働率情報送信手段，稼働率記憶手段，他店稼働率情報作成手段，及び他店稼働率情報配信手段を設ける必要がない。一方、他店稼働率情報のみを対象とする遊技用システムであれば、他店遊技者数情報を作成・配信するための手段である遊技者数情報送信手段，遊技者数記憶手段，他店遊技者数情報作成手段，及び他店遊技者数情報配信手段を設ける必要がない。
【０１１６】
上記の実施形態では、有価価値の大きさを特定可能な情報として、遊技用記録媒体（プリペイドカード４，会員カード５）に残度数が記録されている例について説明したが、これに限らず、遊技用記録媒体に該遊技用記録媒体を個々に特定可能な遊技用記録媒体特定情報を記録し、場内管理装置３０及び／又は集中管理装置４０に該遊技用記録媒体特定情報と対応付けて残度数を記録するように構成して、遊技用装置（カードユニット２０）にて受け付けた遊技用記録媒体から読み取った遊技用記録媒体特定情報が場内管理装置３０及び／又は集中管理装置４０に照会されることにより残度数が特定されるようにしても良い。
【０１１７】
上記の実施形態では、遊技者の所有する有価価値の大きさが、遊技用記録媒体（プリペイドカード４，会員カード５）の記録情報から特定される残度数である例について説明したが、これに限らず、遊技用装置（カードユニット２０）の外部から貨幣を受付可能に構成した場合において、該受け付けた貨幣の金額に相当する残度数を遊技用装置の内部に指触不能に封入されている封入型記録媒体の記録情報から特定可能とする処理（例えば該封入型記録媒体に残度数を記録する処理や、該封入型記録媒体を個々に特定可能な封入型記録媒体特定情報と対応付けて残度数を記憶する処理）が行われたときには、該封入型記録媒体の記録情報から特定される残度数が、前記遊技者の所有する有価価値の大きさである。また該受け付けた貨幣の金額に相当する残度数を制御部２２のＲＡＭに記憶する処理が行われたときには、該制御部２２のＲＡＭに記憶されている残度数が、前記遊技者の所有する有価価値の大きさである。また該受け付けた貨幣の金額に相当する残度数を遊技用装置を個々に識別可能な装置識別情報と対応付けて記憶する処理が行われたときには、該装置識別情報から特定される残度数が、前記遊技者の所有する有価価値の大きさである。従って、これらの残度数に基づいて貸与処理が行われるものも、本発明に含まれる。
【０１１８】
上記の実施形態では、稼働状況情報が、打込玉カウンタ１７から出力される打込玉信号である例について説明したが、これに限らず、該稼働状況情報は、例えば遊技機の遊技領域に設けられた可変表示装置が可変表示を行った回数を特定可能な情報として、遊技制御基板１１から出力されるスタート信号や、該遊技機の遊技領域に設けられた入賞口（図示外）に打込玉が入賞することにより玉払出装置１３から賞球として払い出されるパチンコ玉の数を特定可能な情報として、遊技制御基板１１から出力される賞球信号や、払出玉カウンタ（図示外）から出力される払出玉信号であっても良い。さらに、これら複数の信号のいずれかが稼働状況情報入力手段（パチンコ機用通信部２１ｃ）に入力されていれば、遊技機（パチンコ機１０）において遊技者が遊技を行っていると判断するようにしても良い。即ち稼働状況情報は、遊技機において遊技者が遊技を行うことにより発生する情報（信号）であれば良い。
【０１１９】
上記の実施形態では、稼働状況情報入力手段（パチンコ機用通信部２１ｃ）に稼働状況情報（打込玉信号）が入力される毎に稼働情報（遊技中信号）が出力される例について説明したが、これに限らず、遊技用装置（カードユニット２０）において、前記集計時間（ここでは２０分毎）を記憶しておき、該集計時間毎に対応する遊技機（パチンコ機１０）から稼働状況情報の入力があるか否かに基づいて、該遊技機において遊技者が遊技を行っているか否かの判定を行い、該判定結果に基づいて稼働情報を出力するようにしても良い。
【０１２０】
上記の実施形態では、稼働状況情報入力手段（パチンコ機用通信部２１ｃ ）に入力された稼働状況情報（打込玉信号）に基づいて、遊技用装置（カードユニット２０）から稼働情報（遊技中信号）が出力される例について説明したが、これに限らず、稼働状況情報入力手段への入力に依らずに、例えばプリペイドカード４が受け付けられている間において、継続的なプリペイドカード受付中信号を、前記稼働情報として出力するようにしても良い。
【０１２１】
上記の実施形態では、会員用記録媒体受付手段（会員カードＲ／Ｗ２４）による会員用記録媒体（会員カード５）の受付中において、継続的な会員信号を、会員稼働情報として出力する例について説明したが、これに限らず、該会員稼働情報として、会員カード５が受け付けられたときに会員カード受付開始信号を出力すると共に会員カー４が排出されたときに会員カード排出信号を出力し、場内管理装置３０において、会員カード受付開始信号を受信してから会員カード排出信号を受信するまでの間を、遊技機（パチンコ機１０）において会員遊技者が遊技を行っていると判断するようにしても良い。即ち会員用記録媒体受付手段により会員用記録媒体が受け付けられたことに基づいて、会員稼働情報が出力されるように構成すれば良い。
【０１２２】
上記の実施形態では、図１に示すように、遊技用装置（カードユニット２０）と場内管理装置３０とが、台端末２及び中継コンピュータ３を介して通信可能に接続されている例について説明したが、これに限らず、該台端末２又は中継コンピュータ３のいずれか一方又は双方を設けずに、遊技用装置と場内管理装置３０とを有線又は無線で接続するようにしても良い。
【０１２３】
上記の実施形態では、単に遊技を行った会員遊技者数を集計する例について説明したが、これに限らず、会員ＩＤから特定される会員遊技者の種別毎（例えば男女別，年齢別，居住地域別）に遊技を行った会員遊技者を集計するようにしても良い。
【０１２４】
上記の実施形態では、図５に示すように、集計時間が２０分毎である例について説明したが、これに限らず、該集計時間は、該２０分毎よりも短い間隔（例えば１０分毎，５分毎等）であっても良く、該２０分毎よりも長い間隔（例えば３０分毎，１時間毎等）であっても良い。
【０１２５】
上記の実施形態では、図６に示すように、他の遊技場の条件として、各遊技場において図３（ａ）に示すようにして設定された条件がそのまま記憶される例について説明したが、これに限らず、他の遊技場の条件として、該条件に合致する遊技場を抽出して記憶するようにしても良い。具体的には、他の遊技場の条件として「同一商圏内」が設定されたときには、当該遊技場の所在地（例えば遊技場Ａ）と同一又は近隣の所在地にある他の遊技場（例えば遊技場Ｂ，Ｆ，Ｈ）を抽出して、他の遊技場の条件として記憶する。
【０１２６】
上記の実施形態では、図７に示すように、遊技者数が所定時間毎に集計され、該所定時間毎に集計された遊技者数に基づいて他店遊技者数情報が作成されて配信される例について説明したが、これに限らず、遊技者数の合計や平均のみが集計され、該集計された遊技者数の合計や平均に基づいて他店遊技者数情報が作成されて配信されるものも、本発明に含まれる。同様に、上記の実施形態では、図７に示すように、稼働率が所定時間毎に算出され、該所定時間毎に算出された稼働率に基づいて他店稼働率情報が作成されて配信される例について説明したが、これに限らず、稼働率の平均のみが算出され、該算出された稼働率の平均に基づいて他店稼働率情報が作成されて配信されるものも、本発明に含まれる。
【０１２７】
上記の実施形態では、遊技者数及び会員遊技者の集計を場内管理装置３０において行う例について説明したが、これに限らず、該集計は、集中管理装置４０において行うようにしても良い。この場合には、場内管理装置３０から集中管理装置４０に対して、各遊技用装置（カードユニット２０）に対応する遊技機（パチンコ機１０）において遊技者が遊技を行っているか否かを示す情報，及び各遊技用装置に対応する遊技機において会員遊技者が遊技を行っているか否かを示す情報を送信し、集中管理装置４０に設けた遊技者数集計手段において、場内管理装置３０から受信した情報に基づいて、各遊技場毎の遊技者数及び会員遊技者数を集計する。
【０１２８】
上記の実施形態では、稼働率の算出を場内管理装置３０において行う例について説明したが、これに限らず、該算出は、集中管理装置４０において行うようにしても良い。この場合には、場内管理装置３０又は集中管理装置４０に設けた遊技者数集計手段において遊技者数を各遊技場毎に集計すると共に、集中管理装置４０に設けた稼働率算出手段において、集中管理装置４０に設けた設置台数記憶手段に記憶されている各遊技場毎の遊技機の設置台数と、前記遊技者数集計手段において算出された各遊技場毎の遊技者数に基づいて、各遊技場毎の稼働率を算出する。
【０１２９】
上記の実施形態では、集中管理装置４０にて記憶される条件（図６を参照）が、図３（ａ）に示すように場内管理装置３０にて設定されて集中管理装置４０に対して送信される例について説明したが、これに限らず、該条件は、集中管理装置４０にて設定されるようにしても良い。
【０１３０】
上記の実施形態では、図８及び図９に示すように、推移を示す情報が、表とグラフの両方である例について説明したが、これに限らず、該推移を示す情報は、表又はグラフのいずれか一方のみであっても良い。
【０１３１】
上記の実施形態では、他店遊技者数情報及び他店稼働率情報が遊技場に対して定期的に配信される間隔が１時間毎である例について説明したが、これに限らず、該間隔は集中管理装置４０又は場内管理装置３０において任意に設定変更可能である。
【０１３２】
上記の実施形態では、出力手段がディスプレイ３３である例について説明したが、これに限らず、該出力手段は、例えばプリンタ等でも良い。即ち出力手段は、他店遊技者数情報に含まれる各遊技場についての遊技者数や他店稼働率情報に含まれる各遊技場についての稼働率を視認可能に出力するものであれば良い。
【０１３３】
上記の実施形態では、出力手段（ディスプレイ３３）において視認可能に出力される形式の他店遊技者数情報及び他店稼働率情報（即ち閲覧用の情報）が集中管理装置４０において作成されて各場内管理装置３０に対して配信される例について説明したが、これに限らず、例えば集中管理装置４０から各場内管理装置３０に対しては閲覧用の情報を作成するための加工用の情報（遊技者数や稼働率）を配信し、該配信された情報に基づいて閲覧用の情報（表やグラフ）を場内管理装置３０において作成するようにしても良い。この場合においては、各場内管理装置３０において既に配信されてきた情報を記憶しておくと共に、集中管理装置４０から各場内管理装置３０に対しては前回の配信から今回の配信までに更新した部分の情報のみを配信し、該配信された情報と前記記憶している情報に基づいて閲覧用の情報を場内管理装置３０において作成するようにしても良い。
【０１３４】
上記の実施形態では、図８に示すように、他店遊技者数情報に、自店（ここでは遊技場Ａ）についての遊技者数も含まれる例について説明したが、これに限らず、該他店遊技者数情報には、少なくとも設定条件を満たす他の遊技場についての遊技者数が含まれていれば良い。この場合において、自店についての遊技者数は場内管理装置３０にて記憶しておき、該場内管理装置３０にて記憶している自店についての遊技者数と、集中管理装置４０から配信されてくる他店遊技者数情報に含まれる遊技者数に基づいて、各遊技場についての遊技者数を視認可能に出力するようにしても良い。
【０１３５】
上記の実施形態では、図９に示すように、他店稼働率情報に、自店（ここでは遊技場Ａ）についての稼働率も含まれる例について説明したが、これに限らず、該他店稼働率情報には、少なくとも設定条件を満たす他の遊技場についての稼働率が含まれていれば良い。この場合において、自店についての稼働率は場内管理装置３０にて記憶しておき、該場内管理装置３０にて記憶している自店についての稼働率と、集中管理装置４０から配信されてくる他店稼働率情報に含まれる稼働率に基づいて、各遊技場についての稼働率を視認可能に出力するようにしても良い。
【図面の簡単な説明】
【０１３６】
【図１】図１は本発明に係る遊技用システムの一例を表す機能ブロック図である。
【図２】図２（ａ）はパチンコ機及びカードユニットの正面図であり、図２（ｂ）は同カードユニットの断面右側面図であり、図２（ｃ）は同パチンコ機及びカードユニットの機能ブロック図である。
【図３】図３は場内管理装置のディスプレイに表示される画面の一例を表す図であり、（ａ）は条件設定画面，（ｂ）は催事情報設定画面，（ｃ）は配信情報指定画面である。
【図４】図４は場内管理装置のハードディスクに記憶されている設置台数ＤＢ，売上金額ＤＢ，及び稼働状況ＤＢの一例を表す図である。
【図５】図５は集中管理装置のディスプレイに表示される集計条件設定画面の一例を表す図である。
【図６】図６は集中管理装置のハードディスクに記憶されている遊技場ＤＢの一例を表す図である。
【図７】図７は集中管理装置のハードディスクに記憶されている遊技者数ＤＢ，会員遊技者ＤＢ，及び稼働率ＤＢの一例を表す図である。
【図８】図８は集中管理装置において作成される他店遊技者数情報の一例を表す図である。
【図９】図９は集中管理装置において作成される他店稼働率情報の一例を表す図である。
【符号の説明】
【０１３７】
１…遊技用システム
５…会員カード
１０…パチンコ機
２０…カードユニット
２１ａ…場内管理装置用通信部
２１ｃ…パチンコ機用通信部
２４…会員カードＲ／Ｗ
３０…場内管理装置
３１ａ…場内通信部
３１ｂ…場外通信部
３２…制御部
３３…ディスプレイ
３５…ハードディスク
４０…集中管理装置
４１…通信部
４２…制御部
４５…ハードディスク
【図１】
2005131089.tif 000003
【図２】
2005131089.tif 000004
【図３】
2005131089.tif 000005
【図４】
2005131089.tif 000006
【図５】
2005131089.tif 000007
【図６】
2005131089.tif 000008
【図７】
2005131089.tif 000009
【図８】
2005131089.tif 000010
【図９】
2005131089.tif 000011